(57)【要約】  【課題】給水装置に関し、貯水タンクに給水された水をすばやく冷却し、低温に保温する。  【解決手段】扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の近傍に備えた蓄冷部材１３で構成され、冷蔵庫本体７の冷却運転が始まると、蒸発器１２が冷却される。この時、蒸発器１２により、蓄冷部材１３が冷却される。次に水を入れた貯水タンク１０が配置されると、貯水タンク１０は庫内の冷却された冷気のみでなく、タンク近傍に設置された蓄冷部材により、貯水タンク１０に給水された水をすばやく冷却し、低温に保温できる。【選択図】図１
2006284116.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、前記貯水タンクの近傍に蓄冷部材を備えたことを特徴とした冷蔵庫の給水装置。
【請求項２】
前記貯水タンクの下部に前記蓄冷部材取付け部を設け、前記蓄冷部材を設置した請求項１に記載の冷蔵庫の給水装置。
【請求項３】
前記貯水タンクの本体に、前記蓄冷部材を備えたことを特徴とした請求項１に記載の冷蔵庫の給水装置。
【請求項４】
前記貯水タンクの外部への給水出口部近傍に、前記蓄冷部材を備えたことを特徴とした請求項１に記載の冷蔵庫の給水装置。
【請求項５】
前記貯水タンクと、前記貯水タンク近傍に備えた前記蓄冷部材の境界面に熱伝導部材を備えた請求項１から請求項４のいずれか一項に記載の冷蔵庫の給水装置。
【請求項６】
前記貯水タンクの近傍に備えた前記蓄冷部材が着脱可能とした、請求項１から請求項５のいずれか一項に記載の冷蔵庫の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図７は、特許文献１に記載された従来の冷蔵庫の給水装置を示すものである。図７に示すように冷蔵庫本体１の扉２と、貯水タンク３と、キャップ４と、給水パイプ５と、給水ポンプ６とから構成されている。
【０００４】
以上のように構成された冷蔵庫の給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を提供することを目的とする。
【課題を解決するための手段】
【０００８】
上記従来の課題を解決するために、本発明の給水装置は、貯水タンクの近傍に蓄冷部材を備えたものである。
【０００９】
これによって、蓄冷部材により貯水タンクの水を冷却し、低温に保温できるようにしたものである。
【発明の効果】
【００１０】
本発明の給水装置は、貯水タンクの近傍に蓄冷部材を備えたことにより、貯水タンクの水をすばやく冷却し、低温に保温することができる。
【００１１】
また、本発明の給水装置は、貯水タンクの下部に蓄冷部材取付け部を設け、蓄冷部材を備えたことにより、貯水タンクの水をすばやく冷却し、低温に保温することができる。
【発明を実施するための最良の形態】
【００１２】
請求項１に記載した発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、前記貯水タンクの近傍に蓄冷部材を備えたものであり、貯水タンクに給水された水をすばやく冷却し、低温に保温することができる。
【００１３】
請求項２に記載した発明は、請求項１に記載した発明において、前記貯水タンクの下部に前記蓄冷部材取付け部を設け、前記蓄冷部材を設置したものであり、貯水タンクに給水された水をすばやく冷却し、低温に保温することができる。
【００１４】
請求項３に記載した発明は、請求項１に記載した発明において、前記貯水タンクの本体に、前記蓄冷部材を備えたものであり、貯水タンクに設置された蓄冷部材により、貯水タンクが直接タンク表面を冷却して、貯水タンクに給水された水をすばやく冷却し、低温に保温することができる。
【００１５】
請求項４に記載した発明は、請求項１に記載した発明において、前記貯水タンクの外部への給水出口部近傍に、前記蓄冷部材を備えたものであり、貯水タンクに給水された水をすばやく冷却し、低温に保温することができる。また、給水で出口部近傍に蓄冷部材を備えることにより、給水開始時より冷却された水を供給することができる。
【００１６】
請求項５に記載した発明は、請求項１から請求項４のいずれか一項に記載した発明において、前記貯水タンクと、前記貯水タンク近傍に備えた前記蓄冷部材の境界面に熱伝導部材を備えたものであり、貯水タンクがすばやく冷却され、貯水タンクに給水された水をすばやく冷却し、低温に保温することができる。
【００１７】
請求項６に記載の発明は、請求項１から請求項５のいずれか一項に記載の発明において、前記貯水タンクの近傍に備えた前記蓄冷部材が着脱可能としたものであり、貯水タンクの水をすばやく冷却でき、低温に保温することができる。
【００１８】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１９】
（実施の形態１）
図１は、本発明の実施の形態１における冷蔵庫の給水器装置の断面図である。
【００２０】
図１において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の近傍に備えた蓄冷部材１３で構成されている。
【００２１】
以上のように構成された冷蔵庫の給水装置について、以下その動作、作用を説明する。
【００２２】
まず、冷蔵庫本体７の冷却運転が始まると、蒸発器１２が冷却される。この時、蒸発器１２により、蓄冷部材１３が冷却される。次に水を入れた貯水タンク１０が蒸発器１３と相対する扉８の庫内側に配置されると、貯水タンク１０は庫内の冷却された冷気のみでなくタンク近傍に設置された蓄冷部材により、給水された水をすばやく冷却し、低温に保温することができる。
【００２３】
（実施の形態２）
図２は、本発明の実施の形態２における冷蔵庫の給水器装置の断面図である。
【００２４】
図２において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の下部に蓄冷部材取付け部１４と蓄冷部材１５で構成されている。
【００２５】
以上のように構成された冷蔵庫の給水装置について、以下その動作、作用を説明する。
【００２６】
まず、冷蔵庫本体７の冷却運転が始まると、蒸発器１２が冷却される。この時、蒸発器１２により、貯水タンク１０の下部に取り付けた蓄冷部材１５が冷却される。次に水を入れた貯水タンク１０が蒸発器１２と相対する扉８の庫内側に配置されると、貯水タンク１０は庫内の冷却された冷気のみでなくタンク下部に設置された蓄冷部材により、給水された水をすばやく冷却し、低温に保温することができる。
【００２７】
（実施の形態３）
図３は、本発明の実施の形態３における冷蔵庫の給水器装置の断面図である。
【００２８】
図３において、扉８を備えた冷蔵庫本体７の庫内側上部に、内側に冷凍室９を形成する蒸発器１２が配置されており、蒸発器１２と相対する扉８の庫内側に、貯水タンク１７が配置されており、貯水タンク１７に貯水された水を冷蔵庫本体７の扉８の外部へと移動させる、一端が貯水タンク１７に接続され、他端が扉８の外部に配置されるパイプ１１とを備えており、貯水タンク１７は本体に蓄冷部材１６を一体構成されている。
【００２９】
以上のように構成された冷蔵庫の給水装置について、以下その動作、作用を説明する。
【００３０】
まず、冷蔵庫本体７の冷却運転が始まると、蒸発器１２が冷却される。この時、蒸発器１２により、蒸発器１２と相対する扉８の庫内側に配置された貯水タンク１７が、貯水タンク１７の本体に設けた蓄冷部材１６とともに冷却される。よって、タンクの水を蓄冷材により低温に保温することができる。また、貯水タンクの水を追加給水した場合、貯水タンク１７に設けた蓄冷部材１６の熱伝導により給水された水をすばやく冷却することができる。
【００３１】
（実施の形態４）
図４は、本発明の実施の形態４における冷蔵庫の給水器装置の断面図である。
【００３２】
図４において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の外部への給水出口近傍に蓄冷部材を取り付けて構成されている。
【００３３】
以上のように構成された冷蔵庫の給水装置について、以下その動作、作用を説明する。
【００３４】
まず、冷蔵庫本体７の冷却運転が始まると、蒸発器１２が冷却される。この時、蒸発器１２により、貯水タンク１０の給水出口近傍に備えた蓄冷部材１８が冷却される。次に水を入れた貯水タンク１０が蒸発器１２と相対する扉８の庫内側に配置されると、貯水タンク１０は庫内の冷却された冷気のみでなくタンク１０の給水出口近傍に備えた蓄冷部材１８により、給水された水をすばやく冷却し、低温に保温することができる。また、給水出口部近傍に備えた蓄冷部材１８により、給水開始時より冷却された水を供給することができる。
【００３５】
（実施の形態５）
図５は、本発明の実施の形態５における冷蔵庫の給水器装置の断面図である。
【００３６】
図５において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の近傍に備えた蓄冷部材１３と、貯水タンク１０と蓄冷部材１３の境界面に熱伝導部材１９を構成している。
【００３７】
以上のように構成された冷蔵庫の給水装置について、以下その動作、作用を説明する。
【００３８】
貯水タンク１０は蒸発器１２と相対する扉８の庫内側に配置されていて、貯水タンクの水は、庫内の冷却された冷気のみでなく、あらかじめ冷却された蓄冷部材１３の冷却効果を、熱伝導部材により、貯水タンク本体表面を冷却することによって、貯水タンク１０がすばやく冷却され、貯水タンク１０に給水された水をすばやく冷却でき、低温に保温することができる。
【００３９】
（実施の形態６）
図６は、本発明の実施の形態６における冷蔵庫の給水器装置の断面図である。
【００４０】
図６において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の近傍に備えた蓄冷部材１３で構成されている。
【００４１】
以上のように構成された冷蔵庫の給水装置について、以下その動作、作用を説明する。
【００４２】
まず、冷蔵庫本体７の冷却運転が始まると、蒸発器１２が冷却される。この時、蒸発器１２により、蓄冷部材１３が冷却される。次に水を入れた貯水タンク１０が蒸発器１２と相対する扉８の庫内側に配置されると、貯水タンク１０は庫内の冷却された冷気のみでなくタンク近傍に設置された蓄冷部材１３により、給水された水をすばやく冷却し、低温に保温することができる。また，蓄冷材１３は着脱可能となっており、常に冷却された蓄冷材１３を取り付けることにより、貯水タンク１０の水をすばやく冷却でき、低温に保温することができる。
【産業上の利用可能性】
【００４３】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００４４】
【図１】本発明の実施の形態１における冷蔵庫の給水装置の断面図
【図２】本発明の実施の形態２における冷蔵庫の給水装置の断面図
【図３】本発明の実施の形態３における冷蔵庫の給水装置の断面図
【図４】本発明の実施の形態４における冷蔵庫の給水装置の断面図
【図５】本発明の実施の形態５における冷蔵庫の給水装置の断面図
【図６】本発明の実施の形態６における冷蔵庫の給水装置の断面図
【図７】従来の冷蔵庫の給水装置の断面図
【符号の説明】
【００４５】
７    冷蔵庫本体
８    扉
９    冷凍室
１０  貯水タンク
１１  パイプ
１２  蒸発器
１３  蓄冷部材
１４  蓄冷部材取付け部
１５  蓄冷部材
１６  蓄冷部材
１７  貯水タンク
１８  蓄冷部材
１９  熱伝導部材
【図１】
2006284116.tif 000003
【図２】
2006284116.tif 000004
【図３】
2006284116.tif 000005
【図４】
2006284116.tif 000006
【図５】
2006284116.tif 000007
【図６】
2006284116.tif 000008
【図７】
2006284116.tif 000009